【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
一つ以上の画像処理装置と、当該画像処理装置とネットワークを介して接続される一つ以上の情報処理端末とを有する画像処理システムであって、
前記画像処理装置は、
前記画像処理装置の稼働状態の変化を検知する検知手段と、
前記ネットワークを介して前記情報処理端末と通信する第一通信手段と、
前記画像処理装置の稼働状態の変化が検知されると、当該稼働状態が変化したことを示す検知情報を前記ネットワークを介して前記情報処理端末に送信するよう前記第一通信手段を制御するとともに、前記検知情報を受信した情報処理端末から送信される、前記画像処理装置を排他的に使用することを要求する排他使用要求を前記第一通信手段に受信させる第一制御手段と、
前記排他使用要求を送信してきた情報処理端末に対して画像処理を実行する画像処理手段と
を有し、
前記情報処理端末は、
前記ネットワークを介して前記画像処理装置と通信する第二通信手段と、
前記第二通信手段により前記検知情報が受信されると、ユーザによる画像処理装置の指定を待たずに、当該検知情報を送信してきた画像処理装置に対して当該画像処理装置を排他的に使用することを要求する排他使用要求を送信するように前記第二通信手段を制御する第二制御手段と
を有し、
前記情報処理端末の前記第二制御手段は、一つの画像処理装置から前記検知情報を受信したときは前記排他使用要求を送信するように前記第二通信手段を制御し、複数の画像処理装置から前記検知情報を受信したときは前記排他使用要求を前記第二通信手段に送信させないことを特徴とする画像処理システム。
【請求項２】
前記第二制御手段は、前記情報処理端末を前記画像処理装置と接続するための待機状態に遷移させ、当該待機状態において前記第二通信手段により前記検知情報が受信されると、前記排他使用要求を送信することを特徴とする請求項１に記載の画像処理システム。
【請求項３】
前記画像処理装置の前記第一制御手段は、
前記排他使用要求を受信すると、当該排他使用要求を送信してきた情報処理端末以外の情報処理端末によって当該画像処理装置が使用されているかどうかに基づき、当該排他使用要求を送信してきた情報処理端末によって当該画像処理装置を排他的に使用可能かどうかを判定する判定手段をさらに有し、前記判定手段が前記排他的に使用可能と判定すると、前記排他的に使用可能であることを示す使用可能情報を送信するように前記第一通信手段を制御するように構成されており、
前記情報処理端末の前記第二制御手段は、
前記第二通信手段によって使用可能情報が受信されると、前記第二通信手段によって前記画像処理の開始を要求する開始要求を送信可能に制御するように構成されていることを特徴とする請求項１または２に記載の画像処理システム。
【請求項４】
前記画像処理装置の前記第一制御手段は、
前記判定手段が前記排他的に使用不可能と判定すると、前記排他的に使用不可能であることを示す使用不可能情報を送信するように前記第一通信手段を制御するように構成されており、
前記情報処理端末の前記第二制御手段は、
前記第二通信手段によって使用不可能情報が受信されると、前記画像処理を実行できないことを示す情報を表示装置に表示させるように構成されていることを特徴とする請求項３に記載の画像処理システム。
【請求項５】
前記画像処理装置は、
当該画像処理装置を排他的に使用している情報処理端末の識別情報を記憶するとともに、当該情報処理端末による当該画像処理装置の使用が終了すると当該識別情報が消去される記憶手段をさらに有し、
前記画像処理装置の前記判定手段は、前記記憶手段に識別情報が記憶されているかどうかに基づき、前記画像処理装置を排他的に使用可能かどうかを判定するように構成されていることを特徴とする請求項３または４に記載の画像処理システム。
【請求項６】
前記画像処理装置の前記第一制御手段は、前記記憶手段に記憶されている識別情報と、前記開始要求に付与されている識別情報とが一致しているときに前記画像処理を実行し、前記記憶手段に記憶されている識別情報と、前記開始要求に付与されている識別情報とが一致していないときに前記画像処理を実行しないことを特徴とする請求項５に記載の画像処理システム。
【請求項７】
前記画像処理装置の稼働状態はユーザ操作に応じて変化することを特徴とする請求項１ないし６のいずれか１項に記載の画像処理システム。
【請求項８】
前記画像処理装置は画像読取装置であり、
前記検知手段は、ユーザによって原稿載置部に原稿が載置されたことを検知するように構成されていることを特徴とする請求項７に記載の画像処理システム。
【請求項９】
前記画像処理装置は画像読取装置であり、所定のユーザ操作を受け付ける受付手段を有し、
前記検知手段は、前記受付手段によって前記ユーザ操作が受け付けられたことを検知するように構成されていることを特徴とする請求項７に記載の画像処理システム。
【請求項１０】
前記情報処理端末の前記第二制御手段は、２つの画像処理装置から前記検知情報を受信した時刻の時間差が閾値以下であるときに、前記排他使用要求を前記第二通信手段に送信させないことを特徴とする請求項１ないし９のいずれか１項に記載の画像処理システム。
【請求項１１】
複数の画像処理装置から前記検知情報を受信したときは、前記複数の画像処理装置のうち排他使用要求を送信する画像処理装置を選択するための画面を前記情報処理端末に表示することを特徴とする請求項１ないし１０のいずれか１項に記載の画像処理システム。
【請求項１２】
画像処理装置であって、請求項１ないし１１のいずれか１項に記載された前記画像処理システムにおいて使用されることを特徴とする画像処理装置。
【請求項１３】
情報処理端末であって、請求項１ないし１１のいずれか１項に記載された前記画像処理システムにおいて使用される前記情報処理端末であることを特徴とする情報処理端末。
【請求項１４】
一つ以上の画像処理装置と、当該画像処理装置とネットワークを介して接続される一つ以上の情報処理端末とを有する画像読取システムの制御方法であって、
前記情報処理端末が、前記画像処理装置と接続するための待機状態に遷移する工程と、
前記画像処理装置が、前記画像処理装置の稼働状態の変化を検知する工程と、
前記画像処理装置が、前記変化を検知すると、当該変化が検知されたことを示す検知情報を前記ネットワークを介して前記情報処理端末に送信する工程と、
前記情報処理端末が、前記検知情報を受信する工程と、
前記情報処理端末が、前記待機状態において前記検知情報を受信すると、前記検知情報を送信してきた画像処理装置に対して当該画像処理装置を排他的に使用することを要求する排他使用要求を送信する工程と、
前記画像処理装置が、前記検知情報を受信した情報処理端末から送信された前記排他使用要求を受信する工程と、
前記画像処理装置が、前記排他使用要求を送信してきた情報処理端末に対して画像読取を実行して読取結果を送信する工程と、
前記画像処理装置が、前記読取結果を受信する工程と
を有し、
前記情報処理端末は、一つの画像処理装置から前記検知情報を受信したときは前記排他使用要求を送信し、複数の画像処理装置から前記検知情報を受信したときは前記排他使用要求を送信しないことを特徴とする制御方法。
【請求項１５】
一つ以上の画像読取装置と、当該画像読取装置とネットワークを介して接続される一つ以上の情報処理端末とを有する画像読取システムであって、
前記画像読取装置は、
原稿が載置される原稿載置手段と、
前記原稿載置手段に載置された原稿を検知する検知手段と、
前記原稿が検知されると、当該原稿が検知されたことを示す検知情報を前記ネットワークを介して前記情報処理端末に送信する第一送信手段と、
前記検知情報を受信した情報処理端末から送信される、前記画像読取装置を排他的に使用することを要求する排他使用要求を受信する第一受信手段と、
前記排他使用要求を送信してきた情報処理端末に対して画像読取を実行して読取結果を送信する画像読取手段と
を有し、
前記情報処理端末は、
前記検知情報を受信する第二受信手段と、
前記画像読取装置と接続するための待機状態において前記検知情報が受信されると、前記検知情報を送信してきた画像読取装置に対して当該画像読取装置を排他的に使用することを要求する排他使用要求を送信する第二送信手段と、
前記読取結果を受信する第三受信手段と
を有し、
前記情報処理端末は、一つの画像処理装置から前記検知情報を受信したときは前記排他使用要求を送信し、複数の画像処理装置から前記検知情報を受信したときは前記排他使用要求を送信しないことを特徴とする画像読取システム。
【請求項１６】
一つ以上の画像読取装置と、当該画像読取装置とネットワークを介して接続される一つ以上の情報処理端末とを有する画像読取システムにおいて、当該情報処理端末に、
前記画像読取装置と接続して画像読取を実行するための待機状態に前記情報処理端末を遷移させる工程と、
前記画像読取装置によって原稿が検知されると送信される、当該原稿が検知されたことを示す検知情報を前記ネットワークを介して受信する工程と、
前記待機状態において前記検知情報を受信すると、前記検知情報を送信してきた画像読取装置に対して当該画像読取装置を排他的に使用することを要求する排他使用要求を送信する工程と、
前記排他使用要求を受信した前記画像読取装置によって画像読取が実行されて送信される読取結果を受信する工程と、
前記情報処理端末は、一つの画像処理装置から前記検知情報を受信したときは前記排他使用要求を送信し、複数の画像処理装置から前記検知情報を受信したときは前記排他使用要求を送信する工程と
を実行させるプログラム。
【手続補正２】
【補正対象書類名】明細書
【補正対象項目名】００５３
【補正方法】変更
【補正の内容】
【００５３】
図１１を用いて説明したように、ＩＴ制御部２２０は、一つの画像処理装置１００から検知情報を受信したときは排他使用要求を送信するようにＩＴ通信部２２１を制御し、複数の画像処理装置１００から検知情報を受信したときは排他使用要求をＩＴ通信部２２１に送信させないように制御してもよい。これにより、意図していない画像処理装置と情報処理端末とがペアリングしにくくなろう。たとえば、あるユーザがセットした原稿の読取結果が他のユーザの端末に送信されてしまうことを抑制できるようになろう。
【手続補正３】
【補正対象書類名】明細書
【補正対象項目名】０００５
【補正方法】変更
【補正の内容】
【０００５】
本発明は、たとえば、
一つ以上の画像処理装置と、当該画像処理装置とネットワークを介して接続される一つ以上の情報処理端末とを有する画像処理システムであって、
前記画像処理装置は、
前記画像処理装置の稼働状態の変化を検知する検知手段と、
前記ネットワークを介して前記情報処理端末と通信する第一通信手段と、
前記画像処理装置の稼働状態の変化が検知されると、当該稼働状態が変化したことを示す検知情報を前記ネットワークを介して前記情報処理端末に送信するよう前記第一通信手段を制御するとともに、前記検知情報を受信した情報処理端末から送信される、前記画像処理装置を排他的に使用することを要求する排他使用要求を前記第一通信手段に受信させる第一制御手段と、
前記排他使用要求を送信してきた情報処理端末に対して画像処理を実行する画像処理手段と
を有し、
前記情報処理端末は、
前記ネットワークを介して前記画像処理装置と通信する第二通信手段と、
前記第二通信手段により前記検知情報が受信されると、ユーザによる画像処理装置の指定を待たずに、当該検知情報を送信してきた画像処理装置に対して当該画像処理装置を排他的に使用することを要求する排他使用要求を送信するように前記第二通信手段を制御する第二制御手段と
を有し、
前記情報処理端末の前記第二制御手段は、一つの画像処理装置から前記検知情報を受信したときは前記排他使用要求を送信するように前記第二通信手段を制御し、複数の画像処理装置から前記検知情報を受信したときは前記排他使用要求を前記第二通信手段に送信させないことを特徴とする。